(57)【特許請求の範囲】
【請求項１】
軸部を有する釣り針であって、前記軸部の一方の端部がかぎ構造部であり、前記軸部の他方の端部が軸頭部であり、該釣り針は、針閉鎖部品と戻り止めとを有し、
前記針閉鎖部品は、取付け用端部と、該取付け用端部から離れている固定されていない端部とを有し、該針閉鎖部品は、該針閉鎖部品が前方軸部に隣接している引込位置と、該針閉鎖部品が前記かぎ構造部の先端および前記軸部の間の間隙をわたって伸びる伸張位置との間を移動可能であり、
前記戻り止めは、前記軸部の長さ方向に、第１の位置と第２の位置との間を前記軸部に対して移動できるように前記軸頭部に取り付けられ、
前記第１の位置においては、前記戻り止めは前記針閉鎖部品を前記引込位置に保持し、
前記第２の位置においては、前記戻り止めは前記針閉鎖部品を解放して、前記針閉鎖部品を前記伸張位置へ移動させ、
該針閉鎖部品は前記取付け用端部の近くに横方向に延伸した部分を有し、
該横方向に延伸した部分に前記戻り止めが作用することにより、前記針閉鎖部品を前記引込位置に保持する釣り針において、
前記針閉鎖部品の取付け用端部が前記軸頭部、もしくは該軸頭部の近傍にあり、
前記針閉鎖部品が前記引込位置にある時は、該針閉鎖部品は、前記軸頭部から前記かぎ構造部の方へ延びていることを特徴とする釣り針。
【請求項２】
請求の範囲第１項に記載の釣り針において、前記針閉鎖部品に、前記伸張位置の方へ跳ね返るように力を加えることを特徴とする釣り針。
【請求項３】
請求の範囲第１項もしくは第２項に記載の釣り針において、前記戻り止めは、釣り針を釣り糸に結びつける際に用いるための輪を有することを特徴とする釣り針。
【請求項４】
請求の範囲第３項に記載の釣り針において、前記輪は、前記戻り止め内を横方向に延びている穴を貫通するリングであることを特徴とする釣り針。
【請求項５】
請求の範囲第４項に記載の釣り針において、前記軸頭部内には横方向の穴があり、前記リングが前記軸頭部内に前記横方向の穴を貫通していることを特徴とする釣り針。
【請求項６】
請求の範囲第１項から第５項のいずれかに記載の釣り針において、前記軸部はその中に凹部を有し、前記針閉鎖部品が前記引込位置にある時に、凹部に少なくとも前記針閉鎖部品の一部が収容されることを特徴とする釣り針。
【請求項７】
請求の範囲第１項から第６項のいずれかに記載の釣り針において、前記針閉鎖部品は、ヘアピンカーブを有する一定の長さのばね鋼線であり、バネ鋼線は、そのカーブの相対するそれぞれの側に枝部を有する前記針閉鎖部品を形成しており、
それぞれの枝部の端部は直角に曲げられて、該２つの端部は互いに相手の方向へ延び、該２つの端部は互い違いになっており、該端部のそれぞれは、前記軸頭部内の各端部に対応する穴に入ることを特徴とする釣り針。
【請求項８】
請求の範囲第７項に記載の釣り針において、前記横方向に延伸した部分は、前記枝部のうちの一方の横方向に延伸した部分から構成されていることを特徴とする釣り針。
【請求項９】
請求の範囲第８項に記載の釣り針において、前記軸頭部には肩部が設けられており、
前記針閉鎖部品が前記伸張位置にある時に、前記横方向に延伸している部分が前記肩部に接するように、前記肩部は配置されていることを特徴とする釣り針。
【発明の詳細な説明】
本発明は釣り針に関するものである。
本明細書における釣り針という言葉は広い意味で用いられている。かぎを有する魚かぎ、およびその他の釣り用の付属品であって、そのかぎによって魚を釣ることができるものも含んでいると解釈する。
本発明によれば、以下の釣り針が提供される。すなわち、軸部を有する釣り針であって、軸部の一方の端部がかぎ構造部であり、軸部の他方の端部が軸頭部であり、この釣り針は、さらに、針閉鎖部品と戻り止めとを有する。針閉鎖部品は、針閉鎖部品が軸部に隣接している引込位置と、針閉鎖部品がかぎ構造部の先端および軸部の間の間隙をわたって伸びる伸張位置との間を移動可能であり、戻り止めは、軸部の長さ方向に、第１の位置と第２の位置との間を摺動できるように、前記軸頭部に取り付けられ、第１の位置においては、戻り止めは針閉鎖部品を引込位置に保持し、第２の位置においては、戻り止めは針閉鎖部品を解放して、針閉鎖部品を伸張位置へ移動させる。
この針閉鎖部品に、伸張位置の方へ跳ね返るように力を加えることとしてもよい。
戻り止めは、釣り針を釣り糸に結びつける際に用いるための輪を有することとしてもよい。このような配置の場合は、魚が釣り針を引いた時、釣り糸の張力により、戻り止めが第１の位置から第２の位置へ移動する。こうして針閉鎖部品を解放して、引込位置から伸張位置へ移動させる。
輪は、戻り止め内を横方向に延びている穴を貫通するリングとしてもよい。また、軸頭部内に横方向の穴を設け、リングが軸頭部内の横方向の穴を貫通することとしてもよい。この軸頭部内の横方向の穴は充分に大きくして、戻り止めが、第１の位置と第２の位置の間を妨害されることなく摺動できることが必要である。このような配置の場合、リングは、戻り止めを軸頭部に捕捉しておくことに役立つ。
軸部はその中に凹部を有し、針閉鎖部品が引込位置にある時に、凹部に少なくとも針閉鎖部品の一部が収容されることとしてもよい。
針閉鎖部品は、ヘアピンカーブを有する一定の長さのばね鋼線としてもよく、ばね鋼線が、カーブの相対するそれぞれの側に枝部を有する針閉鎖部品を形成しており、それぞれの枝部の端部は直角に曲げられて、２つの端部は互いに相手の方向へ延び、２つの端部は互い違いになっており、端部のそれぞれは、軸頭部内の各端部に対応する穴に入る。
枝部のうちの一方は、横方向に延伸した部分を有することとしてもよく、戻り止めが第１の位置にある時に、戻り止めが、横方向に延伸している部分と噛み合って、針閉鎖部品を引込位置に保持することとしてもよい。
軸頭部に肩部を設け、針閉鎖部品が伸張位置にある時に、横方向に延伸している部分が肩部に接するように、肩部を配置することとしてもよい。
ここで、添付の図面を参照して、実施例によって本発明をより詳細に説明する。
第１図は、本発明による釣り針の側面図であり、釣り針が引かれた状態を示す。
第２図は、釣り針がセットされた状態の時の釣り針の側面図である。
第３図は、第２図の矢印IIIの方向から見た図である。
第４図は、分解した時の釣り針のさまざまな構成部品を示す。
第５図は、第２図のＶ−Ｖ断面における詳細断面図である。
ここで、図面をより詳細に参照すると、参照番号10は釣り針の全体を示す。釣り針は、一方の端部が、かかりかぎ構造部14で終わる軸部12を有している。軸部12は、かぎ構造部14と反対側の端部に頭部16を有している。
第３図によると最もよくわかるが、軸部12、かぎ構造部14および軸頭部16が作られている材料の厚さは、頭部16の区域において、軸部12およびかぎ構造部14の区域よりも厚くなっている。
釣り針10は更に、針閉鎖部品18を有している。針閉鎖部品18は、所定の長さの弾性の可撓性ステンレス鋼線であり、鋼線のうちの20にヘアピンカーブがあり、鋼線は、カーブの対向する両側に枝部22.1および22.2を有する針閉鎖部品を形成している。各枝部22.1、22.2は、直角に曲げられた、固定されていない端部24を有しており、それらの端部は互いに向かって延びており、互い違いになっている。各端部24は、軸頭部16内の穴26に収容されており、穴26は、各端部に対応しており、横方向に延びている。針閉鎖部品18が第２図および第３図に示す位置にある時、針閉鎖部品18は引っ張られた状態にあり、針閉鎖部品18の端部20をかぎ構造部14の先端部の方へ駆動する。
釣り針10は更に、戻り止めを有するが、それは溝付き頭部30を持つピン28である。この戻り止めピン28は、軸頭部16内の縦方向に延びる穴に滑りばめしている、すなわち戻り止めピン28は、軸部12と一直線上にある方向に延びている。このピン28は軸頭部１６内に細長く明けられた穴32と交差している。リング34（第１図から第４図には図示しない）はピン28にはめ込まれており、リングがピン内の穴36、および穴32を貫通する。リング34は、ピン28を軸頭部16に捕捉しておくことに役立つ。更に輪として役立ち、輪によって釣り針を釣り糸の端部に結びつけることができる。
ピン28は、第２図および第３図に示されている第１の位置と、第１図に示されている第２の位置との間を摺動することができる。第１の位置においては、頭部30が針閉鎖部品18を引込位置に保持する。第２の位置においては、頭部30は、針閉鎖部品を解放して、この部品を伸張位置へ移動させる。
軸部12がその中に凹部38を有し、針閉鎖部品18が引込位置にある時に、針閉鎖部品18が凹部に収容されることが分かるであろう。
使用するときは、釣り針10は輪34を介して釣り糸に結びつけられる。針閉鎖部品18は第２図および第３図に示すように引込位置へ移され、ピン28は第２図および第３図に示す位置へ滑らされる。この位置においてピン28は針閉鎖部品を引込位置に保持する。枝部22.2の横方向に延びている部分40は頭部30の溝に着座し、ピン28が、第２図および第３図に示す位置から移動することに対して、この部分40は一定の抵抗力を示す。
頭部16は肩部42を有している。肩部42は、針閉鎖部品18が第１図に示す伸張位置にある時、枝部22.2の部分40が肩部に接するように配置されている。これは針閉鎖部品の終端部止め具として働いて、端部20がかぎ構造部14に圧力をかけることを防ぐ、もしくは端部20がかぎ構造部14にかける圧力を制限する。
魚が針10に噛み付いて引っ張ると、ピン28が、第２図および第３図に示す位置から第１図に示す位置へ移動し、それによって針閉鎖部品18が開放される。この結果、針閉鎖部品18の反発力により、針閉鎖部品18を第１図に示す伸張位置へ移動させ、魚が振り回して外すことが不可能ではないとしても、振り回して外すことを困難にしている。
魚かぎの場合、軸部12が魚かぎの軸に連結されるが、軸部12が相当する部分が魚かぎの軸に対して摺動可能になり、ピン28（戻り止めである）に相当する部分は魚かぎの軸に固定されることになる。
【図１】
0003715315.tif 000002
【図２】
0003715315.tif 000003
【図３】
0003715315.tif 000004
【図４】
0003715315.tif 000005
【図５】
0003715315.tif 000006